(57)【要約】【課題】運搬時には回転式アンテナを折り畳むことができ、設置・使用時には回転式アンテナを伸ばした状態で任意の位置に維持・固定し、無線装置本体の内部電気回路によるノイズの影響を小さくする無線装置を提供することを目的とする。【解決手段】定位置に固定する無線装置本体１１と、この無線装置本体１１の壁面に沿って回転自在に装備した回転式アンテナ１２とを有し、無線装置本体１１と回転式アンテナ１２との少なくとも一方に他方との間で回転式アンテナ位置を固定する固定部材１４を設けたものである。これによって、運搬時には回転式アンテナ１２を折り畳むことができ、設置・使用時には固定部材１４の作用により、回転式アンテナ１２を伸ばした状態で任意の位置に維持・固定し、無線装置本体１１の内部電気回路１６によるノイズの影響を小さくすることができる。【選択図】図１
2006345351.tif 000002
【特許請求の範囲】
【請求項１】
定位置に固定する無線装置本体と、この無線装置本体の壁面に沿って回転自在に装備した回転式アンテナとを有し、前記無線装置本体と回転式アンテナとの少なくとも一方に他方との間で回転式アンテナ位置を固定する固定部材を設けた無線装置。
【請求項２】
固定部材を複数設け、回転式アンテナ位置を複数位置で固定可能とした請求項１に記載の無線装置。
【請求項３】
固定部材は、相手側を弾性挟持する弾性材で構成した請求項１または２に記載の無線装置。
【発明の詳細な説明】
【技術分野】
【０００１】
本発明は、回転式アンテナを有する無線装置に関するものである。
【背景技術】
【０００２】
従来、この種の無線装置は、回転式アンテナを無線不使用時には無線装置本体近傍へ折り畳み、携帯性を向上させることができるものである。また、無線使用時には回転式アンテナを使用者が任意の位置に回転させることで、無線の送受信能力を最大限に得ることができるようになっている（例えば、特許文献１参照）。
【０００３】
これは、図９に示すように、無線使用時には、無線の送受信能力を最大限に得ることができるように回転式アンテナ２は無線装置本体１から離されている。一方、無線不使用時には、図１０に示すように、回転式アンテナ２を無線装置本体１近傍へ折り畳んで携帯性を向上させている。なお、無線装置本体１内には、内部電気回路３が装備されている。
【特許文献１】実開平４−１０２５９１号公報
【発明の開示】
【発明が解決しようとする課題】
【０００４】
しかしながら、前記従来の構成では、回転式アンテナ２が自由に回転可能であるため、回転式アンテナ２の無線電波送受信能力を阻害してしまう可能性がある。すなわち、回転式アンテナ２が自由に回転可能であるため、使用者が回転式アンテナ２を無線装置本体１近傍に折り畳んだ状態（図１０の状態）で使用することが多々発生し、無線装置本体１の内部電気回路３によるノイズが回転式アンテナ２の無線電波送受信能力に影響を与えてしまう可能性がある。
【０００５】
本発明は、前記従来の課題を解決するもので、運搬時には回転式アンテナを折り畳むことができ、設置・使用時には回転式アンテナを伸ばした状態で任意の位置に維持・固定し、無線装置本体の内部電気回路によるノイズの影響を小さくする無線装置を提供することを目的とする。
【課題を解決するための手段】
【０００６】
前記従来の課題を解決するために、本発明の無線装置は、定位置に固定する無線装置本体と、この無線装置本体の壁面に沿って回転自在に装備した回転式アンテナとを有し、前記無線装置本体と回転式アンテナとの少なくとも一方に他方との間で回転式アンテナ位置を固定する固定部材を設けたものである。
【０００７】
これによって、運搬時には回転式アンテナを折り畳むことができ、設置・使用時には固定部材の作用により、回転式アンテナを伸ばした状態で任意の位置に維持・固定し、無線装置本体の内部電気回路によるノイズの影響を小さくすることができる。
【発明の効果】
【０００８】
本発明の無線装置は、回転式アンテナを伸ばした状態で任意の位置に維持・固定し、無線装置本体の内部電気回路によるノイズの影響を小さくすることができる。
【発明を実施するための最良の形態】
【０００９】
第１の発明は、定位置に固定する無線装置本体と、この無線装置本体の壁面に沿って回転自在に装備した回転式アンテナとを有し、前記無線装置本体と回転式アンテナとの少なくとも一方に他方との間で回転式アンテナ位置を固定する固定部材を設けた無線装置とす
ることにより、運搬時には回転式アンテナを折り畳むことができ、設置・使用時には固定部材の作用により、回転式アンテナを伸ばした状態で任意の位置に維持・固定し、無線装置本体の内部電気回路によるノイズの影響を小さくすることができる。
【００１０】
第２の発明は、特に、第１の発明において、固定部材を複数設け、回転式アンテナ位置を複数位置で固定可能としたことにより、回転式アンテナの電波送受信能力への無線装置本体内部の電気回路によるノイズの影響を小さくすることに加え、無線の送受信能力を最大限に得ることができる位置に設定できるとともに回転式アンテナ位置が不用意に変動することを防止できる。  
【００１１】
第３の発明は、特に、第１または第２の発明において、固定部材は、相手側を弾性挟持する弾性材で構成したことにより、回転式アンテナの電波送受信能力への無線装置本体内部の電気回路によるノイズの影響を小さくすることに加え、回転式アンテナ位置を安定して維持・固定することが可能となる。
【００１２】
以下、本発明の実施の形態について、図面を参照しながら説明する。なお、この実施の形態によって本発明が限定されるものではない。
【００１３】
（実施の形態１）
図１、図２は、本発明の実施の形態１における無線装置を示したものである。
【００１４】
図１に示すように、本実施の形態における無線装置は、壁１５や据置台などの定位置に固定する無線装置本体１１と、この無線装置本体１１の壁面に沿って回転自在に装備した回転式アンテナ１２とを有し、前記無線装置本体１１と回転式アンテナ１２との少なくとも一方に他方との間で回転式アンテナ位置を固定する固定部材１４を設けたものである。なお、無線装置本体１１には、固定部材１４とは別に回転式アンテナ１２の回転範囲を制限する凸部１３を設けている。また、無線装置本体１１内には、内部電気回路１６が装備されている。
【００１５】
固定部材１４は、本実施の形態では、回転式アンテナ１２と無線装置本体１１との結合部の隙間よりやや高く、回転式アンテナ１２がその柔軟性により回転時乗り越えられる高さの凸部を無線装置本体１１に形成することで構成されている。無線装置本体１１に結合された回転式アンテナ１２は、使用時、凸部１３と壁１５に挟まれ、無線装置本体１１の壁面まで回転させることができなくなる。また、回転式アンテナ１２は、凸部１３と固定部材１４に挟まれ回転範囲制限位置で固定されるように構成している。すなわち、不用意に回転式アンテナ１２の位置が動いてしまうことがない。なお、無線装置の運搬時などには、回転式アンテナ１２は無線装置本体１１の壁面に沿って回転させ折り畳まれているものである。
【００１６】
図２は、固定部材１４を、間隔をあけて複数（本実施の形態では２個）設け、回転式アンテナ位置を複数位置で固定可能としたものである。
【００１７】
図２において、回転式アンテナ１２は凸部１３と壁１５に挟まれ、無線装置本体１１の壁面まで回転させることができなくなる。また、回転式アンテナ１２を、固定部材１４を乗り越えて、凸部１３の位置まで回転させると（実線位置）、回転式アンテナ１２が凸部１３と固定部材１４に挟まれて固定される。更に、回転式アンテナ１２を、固定部材１４間に回転させると（破線位置）、回転式アンテナ１２が固定部材１４間に挟まれ、固定される。
【００１８】
（実施の形態２）
図３〜図６は、本発明の実施の形態２における無線装置を示したものである。実施の形態１と同一要素については同一符号を付してその説明を省略する。
【００１９】
図３、図４に示すように、本実施の形態における無線装置は、回転式アンテナ１２と無線装置本体１１との結合部の回転式アンテナ１２側に凸部よりなる固定部材１７を設け、無線装置本体１１側に、固定部材１７に対向する無線装置本体１１側に凹部よりなる固定部材１８を設け、回転式アンテナ１２を固定部材１７、１８の凹凸結合による回転制限位置で固定できるようにしている。
【００２０】
前記固定部材１７の凸部は、回転式アンテナ１２と無線装置本体１１との結合部の隙間よりやや高いものであり、回転式アンテナ１２が凸部１３の位置まで回転する際、回転式アンテナ１２はｔ寸法だけ傾斜した状態で回転式アンテナ１２の固定部材１７の凸部が固定部材１８の凹部に嵌り込む。固定部材１８の凹部は、回転式アンテナ１２の柔軟性による反発力に対して回転時乗り越えられる深さである。回転式アンテナ１２は図３の状態から図４の状態となり、固定される。
【００２１】
図５、図６は、無線装置本体１１側に設けた凹部よりなる固定部材１８を、間隔をあけて複数（本実施の形態では２個）設け、回転式アンテナ位置を複数位置で固定可能としたものである。作用については、実施の形態１の図２と同様である。
【００２２】
なお、固定部材１７の凸部は回転式アンテナ１２側に、固定部材１８の凹部は無線装置本体１１側に設けているが、その設ける側が逆であっても同様な効果が期待できる。
【００２３】
（実施の形態３）
図７、図８は、本発明の実施の形態３における無線装置を示したものである。実施の形態１と同一要素については同一符号を付してその説明を省略する。
【００２４】
図に示すように、本実施の形態における無線装置は、固定部材１９は、相手側を弾性挟持する板バネなどの弾性材で構成したものである。本実施の形態の形態では、無線装置本体１１の回転式アンテナ１２の回転制限位置に、回転式アンテナ１２の形状に対応した挟持部２０を有する固定部材１９を設け、挟持部２０で回転式アンテナ１２を嵌合固定するようにしている。これにより、回転式アンテナ１２の回転を制限するとともに固定するものである。固定部材１９は、回転式アンテナ１２を弾性挟持するため、回転式アンテナ１２をしっかりと保持することができる。
【００２５】
なお、固定部材１９を回転式アンテナ１２に設けることも可能であり、この場合は、固定部材１９が弾性挟持する部材を無線装置本体１１側に設ければよい。
【００２６】
以上のように、各実施の形態１〜３においては、無線装置の運搬時には回転式アンテナを無線装置本体の近傍に折り畳むことで省スペース化が図れ、設置・使用時には回転式アンテナと無線装置本体の内部電気回路とを離し、回転式アンテナの電波送受信能力への無線装置本体の内部電気回路によるノイズの影響を小さくすることができる。
【産業上の利用可能性】
【００２７】
以上のように、本発明にかかる無線装置は、回転式アンテナを伸ばした状態で任意の位置に維持・固定し、無線装置本体の内部電気回路によるノイズの影響を小さくすることができるので、壁への取り付け形態以外にも据え置き台への設置の場合などに幅広く適用できる。
【図面の簡単な説明】
【００２８】
【図１】（ａ）本発明の実施の形態１における無線装置の正面図（ｂ）同側面図
【図２】同無線装置の他の例を示した側面図
【図３】（ａ）本発明の実施の形態２における無線装置の正面図（ｂ）同側面図
【図４】（ａ）同無線装置において回転式アンテナが回転制限位置で固定された場合の正面図（ｂ）同側面図
【図５】同無線装置の他の例を示した側面図
【図６】同無線装置において回転式アンテナが回転制限位置で固定された場合の側面図
【図７】（ａ）本発明の実施の形態３における無線装置の正面図（ｂ）同側面図
【図８】（ａ）同無線装置において回転式アンテナが回転制限位置で固定された場合の正面図（ｂ）同側面図
【図９】（ａ）従来の無線装置の無線使用時の正面図（ｂ）同側面図
【図１０】同無線装置の回転式アンテナを無線装置本体近傍へ折り畳んだ場合の正面図
【符号の説明】
【００２９】
１１  無線装置本体
１２  回転式アンテナ
１４、１７〜１９  固定部材
１５  壁
１６  内部電気回路
【図１】
2006345351.tif 000003
【図２】
2006345351.tif 000004
【図３】
2006345351.tif 000005
【図４】
2006345351.tif 000006
【図５】
2006345351.tif 000007
【図６】
2006345351.tif 000008
【図７】
2006345351.tif 000009
【図８】
2006345351.tif 000010
【図９】
2006345351.tif 000011
【図１０】
2006345351.tif 000012